(57)【要約】【課題】処分ピットの廃棄物を埋め立て処分できる容積を大きくとることができる埋め立て処分方法を提供する。【解決手段】処分ピット１を複数の埋立区画１１〜１４に区画し、各区画１１〜１４の上方を覆う大きさに形成された移動式屋根４を何れかの埋立区画１１〜１４の上方に移動させて該区画１１〜１４の上方を覆い、この状態で、該区画１１〜１４に廃棄物１５を所定の高さだけ埋め立てる工程を行った後、該区画１１〜１４に埋め立てた廃棄物１５の表面を遮水手段で覆うとともに、移動式屋根４を次の埋立区画１１〜１４の上方に移動させて該区画１１〜１４の上方を覆い、この状態で、該区画１１〜１４に廃棄物１５を所定の高さだけ埋め立てる工程を繰り返すことにより、各区画１１〜１４に廃棄物１５を順次埋め立て処分する。【選択図】  図２
2011194369.tif 000002
【特許請求の範囲】
【請求項１】
廃棄物を埋め立て処分する処分ピットを有し、該処分ピットの上方に移動式屋根が設けられた屋内廃棄物処分場の廃棄物の埋め立て処分方法であって、
前記移動式屋根を移動させながら、該移動式屋根の下方の前記処分ピットの部分に廃棄物を多段に埋め立てることを特徴とする廃棄物の埋め立て処分方法。
【請求項２】
廃棄物を埋め立て処分する処分ピットを有し、該処分ピットの上方に移動式屋根が設けられた屋内廃棄物処分場の廃棄物の埋め立て処分方法であって、
前記処分ピットを複数の埋立区画に区画し、
前記各区画の上方を覆う大きさに形成された前記移動式屋根を何れかの埋立区画の上方に移動させて該区画の上方を覆い、この状態で、該区画に廃棄物を所定の高さだけ埋め立てる工程を行った後、
該区画に埋め立てた廃棄物の表面を遮水手段で覆うとともに、前記移動式屋根を次の埋立区画の上方に移動させて該区画の上方を覆い、この状態で、該区画に廃棄物を所定の高さだけ埋め立てる工程を繰り返すことにより、各区画に廃棄物を順次埋め立て処分することを特徴とする廃棄物の埋め立て処分方法。
【請求項３】
前記移動式屋根の両側には、前記各区画の両側を遮蔽する遮蔽部材が設けられていることを特徴とする請求項１又は２に記載の廃棄物の埋め立て処分方法。
【請求項４】
前記各区画に埋め立て処分された廃棄物は、隣接する区画との境界面が所定の角度の傾斜面に形成されていることを特徴とする請求項１〜３の何れか１項に記載の廃棄物の埋め立て処分方法。
【請求項５】
前記処分ピットは円形状に形成されるとともに、該処分ピットの内部が周方向に複数の扇形状の埋立区画に区画され、各区画に所定の高さずつ複数段に廃棄物が埋め立てられるとともに、前記移動式屋根は、前記各区画の上方を覆う大きさの扇形状に形成されていることを特徴とする請求項１〜４の何れか１項に記載の廃棄物の埋め立て処分方法。
【発明の詳細な説明】
【技術分野】
【０００１】
本発明は、廃棄物の埋め立て処分方法に関する。
【背景技術】
【０００２】
廃棄物処分場に廃棄物を埋め立て処分する場合、埋め立てた廃棄物からメタンガス、水素ガス、硫化水素ガス等の各種のガスが発生し、そのガスが周辺に拡散して周辺環境を汚染する問題や、埋め立てた廃棄物に雨水が降りかかり、その雨水が廃棄物を介して地盤に浸透することにより、廃棄物に含まれる有害物質が地下水に混入し、地下水を汚染する問題等が発生する。
【０００３】
このため、近年では、廃棄物処分場の処分ピット（以下、ピットという。）を移動式又は固定式の屋根で覆い、ピット内の廃棄物から発生する各種のガスが周辺に拡散するのを防止するとともに、ピット内の廃棄物に雨水が降りかかるのを防止し、廃棄物に含まれる有害物質が地下水に混入するのを防止するように構成した閉鎖式廃棄物処分場（屋内廃棄物処分場）が建設されている。
【０００４】
移動式屋根を用いた屋内廃棄物処分場は、廃棄物処分場に複数のピットを設け、廃棄物の埋め立て処分中のピットのみを移動式屋根で覆い、そのピットが廃棄物で満杯になった後に、そのピットから次の未使用のピットに移動式屋根を移動させることを繰り返し行うことにより、埋め立て処分中のピットに雨水が浸入するのを防止している。また、固定式屋根を用いた屋内廃棄物処分場は、廃棄物処分場に大容量のピットを設け、このピットの全体を円形ドーム型屋根等で覆っている。
【０００５】
ところで、移動式屋根を用いた屋内廃棄物処分場は、複数のピットが二次元的に設けられている場合には、一方向に並んだ複数のピット間にレールを敷設することにより、移動式屋根の前後一方向のみへの移動はレールで行えるが、もう一方の方向への移動はクレーンで行わなければならない。さらに、複数のピットを設ける場合、隣接するピット間に埋め立てた廃棄物の圧力に耐え得る強度の仕切り壁を設置する必要があるため、仕切り壁の分だけピットの容積が小さくなり、廃棄物の埋め立て可能な容量が少なくなってしまう。
【０００６】
また、固定式屋根を用いた屋内廃棄物処分場の場合には、上記の移動式屋根を用いた屋内廃棄物処分場のような問題が生じることはないが、大容量のピットに対応するために、例えば、ロングスパンの大型の円形ドーム型の屋根が必要になり、その建設に多大な労力、時間、及び費用がかかることになる。
【０００７】
一方、特許文献１には、円形状のピットを仕切り壁によって複数に区画し、ピットの中心部に設けたレールとピットの周縁部に設けたレールとの間に扇形屋根を架け渡して、両レールに沿って扇形屋根を移動可能とし、一の区画が廃棄物で満杯になった後に、扇形屋根をレールに沿って次の区画に移動させることにより、次の区画に廃棄物を埋め立て処分し、このようなことを繰り返すことにより、複数の区画に廃棄物を埋め立て処分するように構成した屋内廃棄物処分場が記載されている。
【先行技術文献】
【特許文献】
【０００８】
【特許文献１】特開２００１−１４５８５８号公報
【発明の概要】
【発明が解決しようとする課題】
【０００９】
特許文献１に記載の屋内廃棄物処分場にあっては、円形状のピットの全体を覆う大型の円形ドーム型の屋根をかける必要がないので、建設に多大な労力、時間、及び費用がかかるようなことはないが、円形状のピットを仕切り壁によって複数に区画しているため、仕切り壁の分だけ円形状のピットの容積が小さくなり、廃棄物の埋め立て可能な容量が少なくなる。
【００１０】
本発明は、建設に要する手間、時間、費用を削減することができるとともに、廃棄物の埋め立て可能な容積を大きくとることができる廃棄物の埋め立て処分方法を提供することを目的とする。
【課題を解決するための手段】
【００１１】
上記のような課題を解決するために、本発明は、以下のような手段を採用している。
すなわち、本発明は、廃棄物を埋め立て処分する処分ピットを有し、該処分ピットの上方に移動式屋根が設けられた屋内廃棄物処分場の廃棄物の埋め立て処分方法であって、  前記移動式屋根を移動させながら、該移動式屋根の下方の前記処分ピットの部分に廃棄物を多段に埋め立てることを特徴とする。
【００１２】
本発明の廃棄物の埋め立て処分方法によれば、移動式屋根を移動させながら、移動式屋根の下方の処分ピットの部分に廃棄物を多段に埋め立てることになるので、処分ピットの全体を屋根で覆ったものに比べて、移動式屋根の設置に要する時間、手間、費用を削減することができる。
【００１３】
また、本発明は、廃棄物を埋め立て処分する処分ピットを有し、該処分ピットの上方に移動式屋根が設けられた屋内廃棄物処分場の廃棄物の埋め立て処分方法であって、前記処分ピットを複数の埋立区画に区画し、前記各区画の上方を覆う大きさに形成された前記移動式屋根を何れかの埋立区画の上方に移動させて該区画の上方を覆い、この状態で、該区画に廃棄物を所定の高さだけ埋め立てる工程を行った後、該区画に埋め立てた廃棄物の表面を遮水手段で覆うとともに、前記移動式屋根を次の埋立区画の上方に移動させて該区画の上方を覆い、この状態で、該区画に廃棄物を所定の高さだけ埋め立てる工程を繰り返すことにより、各区画に廃棄物を順次埋め立て処分することを特徴とする。
【００１４】
本発明の廃棄物の埋め立て処分方法によれば、処分ピットの何れかの埋立区画の上方のみを移動式屋根で覆えばよいので、処分ピットの全体を屋根で覆ったものに比べて、移動式屋根の設置に要する時間、手間、費用を削減することができる。
また、埋立区画の全高さに一度に埋め立てるのではなく、所定の高さずつ段階的に埋め立てるので、埋め立てた廃棄物が隣接する埋立区画側に崩れ落ちるのを防止できる。このため、隣接する埋立区画間に仕切り壁を設置する必要がなくなるので、処分ピットの容積が仕切り壁の分だけ小さくなるようなことはなく、廃棄物を埋め立て処分できる容積を大きくとることができる。
【００１５】
また、本発明において、前記移動式屋根の両側には、前記各区画の両側を遮蔽する遮蔽部材が設けられていることとしてもよい。
【００１６】
本発明の廃棄物の埋め立て処分方法によれば、移動式屋根によって埋立区画の上方を覆うとともに、移動式屋根の両側の遮蔽部材によって埋立区画の両側を遮蔽することができるので、埋立区画内に雨水が浸入するのを防止できる。
【００１７】
さらに、本発明において、前記各区画に埋め立て処分された廃棄物は、隣接する区画との境界面が所定の角度の傾斜面に形成されていることとしてもよい。
【００１８】
本発明の廃棄物の埋め立て処分方法によれば、埋立区画に埋め立てた廃棄物の隣接する埋立区画との境界面を所定の角度の傾斜面（廃棄物が隣接する埋立区画側に崩れ落ちるのを防止できる角度の傾斜面）に設定することにより、隣接する埋立区画間に仕切り壁を設置する必要がなくなるので、仕切り壁の分だけ処分ピットの容積が小さくなるようなことはなく、処分ピット内への廃棄物の埋め立て処分できる容積を大きくとることができる。
【００１９】
さらに、本発明において、前記処分ピットは円形状に形成されるとともに、該処分ピットの内部が周方向に複数の扇形状の埋立区画に区画され、各区画に所定の高さずつ複数段に廃棄物が埋め立てられるとともに、前記移動式屋根は、前記各区画の上方を覆う大きさの扇形状に形成されていることとしてもよい。
【００２０】
本発明の廃棄物の埋め立て処分方法によれば、隣接する埋立区画相互間で移動式屋根を移動させながら、処分ピットの埋立区画に対して、順次、所定の高さずつ廃棄物を埋め立てていくことにより、処分ピットの全体に廃棄物を埋め立て処分することが可能となる。
【発明の効果】
【００２１】
以上、説明したように、本発明の廃棄物の埋め立て処分方法によれば、移動式屋根の下方の処分ピットの部分に廃棄物を多段に埋め立てることになるので、処分ピットの全体を屋根で覆ったものに比べて、移動式屋根の設置に要する時間、手間、費用を削減することができる。
また、処分ピットの何れかの埋立区画の上方のみを移動式屋根で覆えばよいので、処分ピットの全体を屋根で覆ったものに比べて、移動式屋根の設置に要する時間、手間、費用を削減することができる。
さらに、処分ピット内の埋立区画に埋め立てた廃棄物が隣接する区画側に崩れ落ちることはないので、隣接する埋立区画間に仕切り壁を設置する必要はなく、処分ピットの容積が仕切り壁の分だけ小さくなるようなことはなく、廃棄物を埋め立て処分できる容積を大きくとることができる。
【図面の簡単な説明】
【００２２】
【図１】本発明による廃棄物の埋立処分方法の一実施の形態が適用される屋内廃棄物処分場の全体を示した概略図である。
【図２】図１の屋内廃棄物処分場の模式図である。
【図３】図２の屋内廃棄物処分場の処分ピットを４つの埋立区画に区画し、かつ、各区画を所定の高さずつ３段に分けた状態を示した説明図である。
【図４】埋立区画の１段目に廃棄物を埋め立て処分した状態を示した説明図である。
【図５】各埋立区画の１段目に埋め立て処分した廃棄物と移動式屋根との位置関係を示した説明図である。
【図６】廃棄物の埋め立て処分の変形例を示した説明図である。
【発明を実施するための形態】
【００２３】
以下、図面を参照しながら本発明の実施の形態について説明する。
図１〜図６には、本発明による廃棄物の処分方法の一実施の形態が示されている。
本実施の形態の廃棄物の埋め立て処分方法は、廃棄物を埋め立て処分する処分ピットの上方を移動式屋根で覆った閉鎖式廃棄物処分場（屋内廃棄物処分場）に適用したものである。
【００２４】
屋内廃棄物処分場は、図１に示すように、地表面が開口された円形状の処分ピット（以下、ピット１という。）と、ピット１の中心部に立設された円柱状のセンターポール部２と、ピット１の開口周縁部にピット１の開口を囲むように敷設された環状のレール３と、センターポール部２とレール３との間に架け渡された扇形状の移動式屋根４と、移動式屋根４をレール３に沿って移動させる駆動源（図示せず）と、センターポール部２を中心として旋回可能に設置されたクレーン２１とを備えている。
【００２５】
移動式屋根４は、例えば、鉄骨等を平面視扇形状に組み立てて構成したフレーム５と、フレーム５の外表面を覆うように設けられた、金属製、合成樹脂製等のシート状又は板状の屋根板６と、移動式屋根４の中心部をセンターポール部２の上部に回転可能に支持する軸受７と、移動式屋根４の円弧状の周縁部をレール３の上部に移動可能に支持する車輪８とを備え、駆動源によって車輪８を回転させることにより、移動式屋根４をセンターポール部２を中心としてピット１の周方向に旋回させることができる。
【００２６】
移動式屋根４は、後述するピット１の埋立区画１１〜１４よりもやや大きく形成されている。例えば、図２に示すように、ピット１を４等分に区画した場合、つまり、ピット１を中心角が９０°の扇形状の４つの埋立区画（第１〜第４区画１１〜１４）に区画した場合には、移動式屋根４の中心角が約１１０°となるように、移動式屋根４の扇形状の大きさを設定する。このような大きさに移動式屋根４を設定することにより、移動式屋根４を各区画１１〜１４の上部に移動させた場合に、移動式屋根４の周方向の両端を各区画１１〜１４の周方向の両端よりも外方に位置させることができるので、各区画１１〜１４の上方の全体を覆うことができる。
【００２７】
移動式屋根４の両端には、図２に示すように、シート状又は板状の遮蔽部材９がそれぞれ吊設されている。遮蔽部材９は、各区画１１〜１４の周方向の両端面を遮蔽し得る大きさに形成され、この遮蔽部材９と移動式屋根４とにより、各区画１１〜１４の周方向の両端面及び上面が閉塞され、各区画１１〜１４に雨水が浸入するのを防止できる。
【００２８】
本実施の形態では、図３に示すように、第１〜第４区画１１〜１４について、それぞれ、所定高さずつ、複数段（本実施の形態では３段）に分けて、移動式屋根４を埋立区画１１〜１４の上方に移動させながら、順次、廃棄物を埋め立てていく。すなわち、第１区画１１の１段目１１ａ→第２区画１２の１段目１２ａ→第３区画１３の１段目１３ａ→第４区画１４の１段目１４ａ→第１区画１１の２段目１１ｂ→第２区画１２の２段目１２ｂ……第１区画１１の３段目１１ｃ→第２区画１２の３段目１２ｃ→第３区画１３の３段目１３ｃ→第４区画１４の３段目１４ｃの順で廃棄物１５を埋め立てる。詳細な埋立作業手順は次の通りである。
【００２９】
すなわち、まず、図２に示すように、第１区画１１の上方に移動式屋根４を移動させて、第１区画１１の上方を移動式屋根４で覆い、第１区画１１の周方向の両端面を遮蔽部材９で覆い、第１区画１１の内部に外部から雨水が浸入するのを防止する。そして、この状態で、図１に示すように、ピット１の開口周縁部に廃棄物１５を積載したダンプトラック２０を搬入させ、廃棄物搬入用のクレーン２１を操作して、ダンプトラック２０の荷台からバケット２２に廃棄物１５を受け取り、廃棄物１５をバケット２２を介して、又は、ダンプトラック２０の荷台から直接に、第１区画１１の１段目１１ａ（図４参照）に廃棄物を搬入する。
【００３０】
この場合、図５に示すように、第１区画１１の１段目１１ａの廃棄物１５の第２区画１２との境界面１５ａが所定の角度の傾斜面１５ａとなるように、１段目１１ａに廃棄物１５を埋め立て処分する。また、移動式屋根４の周方向の両端の遮蔽部材９が１段目１１ａの廃棄物１５の傾斜面１５ａの法尻上に鉛直に配置されるように、１段目１１ａに廃棄物１５を埋め立て処分する。これにより、１段目１１ａに埋め立て処分した廃棄物１５が第２区画１２側に崩れ落ちるのを防止できるので、第１区画１１と第２区画１２との間に仕切り壁を設ける必要がなくなるとともに、１段目１１ａに埋め立てた廃棄物１５に雨水が降りかかるのを防止できる。
【００３１】
そして、第１区画１１の１段目１１ａが廃棄物１５で所定の高さまで埋め立てられた後に、その廃棄物１５の表面を遮水手段（遮水シート、覆土等、以下、同じ。）で覆い、雨水が１段目１１ａの廃棄物１５に降りかかるのを防止した上で、図５に示すように、移動式屋根４を第１区画１１の上方から第２区画１２の上方に移動させて、第２区画１２の上方を移動式屋根４で覆い、移動式屋根４の周方向の先方側の遮蔽部材９を第２区画１２の周方向の先方側の端面上に鉛直に配置し、移動式屋根４の周方向の後方側の遮蔽部材９を第２区画１２の周方向の後方側の端面上（第１区画１１の１段目１１ａの廃棄物１５の傾斜面１５ａの法肩上）に鉛直に配置し、第２に区画１２の周方向の両端面を遮蔽部材９で遮蔽する。
【００３２】
そして、第１区画１１の１段目１１ａと同様に、第１区画１１の１段目１１ａに連続する第２区画１２の１段目１２ａに廃棄物１５を埋め立て処分する。
この場合、第２区画１２の１段目１２ａの廃棄物１５の第１区画１１の１段目１１ａ側の部分を、第１区画１１の１段目１１ａの廃棄物１５の境界面１５ａ（傾斜面１５ａ）とラップさせることにより、第１区画１１の１段目１１ａの廃棄物１５と第２区画１２の１段目１２ａの廃棄物１５とを一体化する。
【００３３】
また、第２区画１２の１段目１２ａの廃棄物１５の第３区画１３との境界面１５ａが所定の角度の傾斜面１５ａとなるように、第２区画の１段目１２ａに廃棄物１５を埋め立て処分することにより、第２区画１２の１段目１２ａに埋め立て処分した廃棄物１５が第３区画１３側に崩れ落ちるのを防止する。
【００３４】
さらに、移動式屋根４の周方向の先方側の遮蔽部材９が１段目１２ａの廃棄物１５の境界面１５ａ（傾斜面１５ａ）の法尻上に鉛直に配置されるように、１段目１２ａに廃棄物１５を埋め立て処分する。これにより、１段目１２ａに埋め立てた廃棄物１５に雨水が降りかかるのを防止できる。
【００３５】
そして、第２区画１２の１段目１２ａが廃棄物１５で所定の高さまで埋め立てられた後に、その廃棄物１５の表面を遮水手段で覆い、雨水が１段目１２ａの廃棄物１５に降りかかるのを防止した上で、図５に示すように、移動式屋根４を第２区画１２の上方から第３区画１３の上方に移動させて、第３区画１３の上方を移動式屋根４で覆い、移動式屋根４の周方向の先方側の遮蔽部材９を第３区画１３の周方向の先方側の端面上に鉛直に配置し、移動式屋根４の周方向の後方側の遮蔽部材９を第３区画１３の周方向の後方側の端面上（第２区画１２の１段目１２ａの廃棄物１５の傾斜面１５ａの法肩上）に鉛直に配置し、第３に区画１３の周方向の両端面を遮蔽部材９で遮蔽する。
【００３６】
そして、第２区画１２の１段目１２ａと同様に、第２区画１２の１段目１２ａに連続する第３区画１３の１段目１３ａに廃棄物１５を埋め立て処分する。そして、同様に、移動式屋根４を移動させながら、第４区画１４の１段目１４ａに廃棄物１５を埋め立て処分する。
【００３７】
このようにして、ピット１の各区画１１〜１４の１段目１１ａ〜１４ａに廃棄物１５を埋め立て処分した後に、各区画１１〜１４の２段目１１ｂ〜１４ｃに順次廃棄物１５を埋め立て処分し、さらに、各区画１１〜１４の３段目１１ｃ〜１４ｃに順次廃棄物１５を埋め立て処分することにより、ピット１の全体に廃棄物１５を埋め立て処分することができる。
【００３８】
上記のように構成した本実施の形態の廃棄物の埋め立て処分方法にあっては、円形状のピット１を４つの埋立区画（第１〜第４区画１１〜１４）に区画し、各区画１１〜１４をそれぞれ所定の高さずつ３段に分けて、移動式屋根４を埋立区画１１〜１４の上方に移動させながら、各区画１１〜１４に廃棄物１５を埋め立てていくように構成したので、ピット１の全体を覆う大型の円形ドーム型の屋根が不要となる。従って、小型の移動式屋根４で十分に足りるので、移動式屋根４の設置に要する時間、手間、費用を大幅に削減することができる。
【００３９】
また、各区画１１〜１４を所定の高さ（廃棄物１５が崩れ落ちない高さ）ずつ３段に分けて、各区画１１〜１４に廃棄物１５を埋め立て処分するとともに、各区画１１〜１４の各段の廃棄物１５の隣接する各区画１１〜１４との境界面１５ａを所定の角度の傾斜面１５ａ（廃棄物１５が崩れ落ちない角度の傾斜面１５ａ）に形成したので、各区画１１〜１４の各段の廃棄物１５が隣接する区画１１〜１４側に崩れ落ちるようなことはない。従って、隣接する区画１１〜１４間に仕切り壁を設置する必要がないので、ピット１の容積を大きくとることができ、廃棄物１５の埋め立て処分を可能な容積を大きくとることができる。
【００４０】
さらに、廃棄物処分場に複数のピット１を設ける場合には、何れかのピット１への廃棄物１５の埋め立て処分が完了した後に、クレーン等の揚重機を用いて移動式屋根４を次のピット１に移動させることにより、次のピット１に対しても同様に廃棄物１５の埋め立て処分を行うことができるので、廃棄物処分場の設置場所の形状に影響されることなく、様々な形状の設置場所に設置された廃棄物処分場に本発明を適用させることができる。
【００４１】
なお、上記の説明においては、ピット１を４つの扇形状の埋立区画（第１〜第４区画１１〜１４）に区画し、各区画１１〜１４を３段に分けて、移動式屋根４を埋立対象区画１１〜１４の上方に移動させながら、順次、各区画１１〜１４に廃棄物１５を埋め立てるように構成したが、ピット１を、２つ以上に区画し、各区画を２段以上に分けて、各区画に廃棄物を埋め立てるように構成してもよい。
【００４２】
また、上記の説明においては、第１区画１１の１段目１１ａに埋め立てた廃棄物１５と第２区画１２の１段目１２ａに埋め立てた廃棄物１５とをラップさせたが、図６に示すように、第１区画１１の１段目１１ａに埋め立てた廃棄物１５と第２区画１２の１段目１２ａに埋め立てた廃棄物１５、第２区画１２の１段目１２ａに埋め立てた廃棄物１５と第３区画１３の１段目１３ａに埋め立てた廃棄物１５とをラップさせず、第１区画１１の１段目１１ａの廃棄物１５と第２区画１２の１段目１２ａの廃棄物１５の境界、第２区画１２の１段目１２ａの廃棄物１５と第３区画１３の１段目１３ａの廃棄物１５との境界を跨ぐように、第１区画１１の１段目１１ａの廃棄物１５及び第２区画１２の１段目１２ａの廃棄物１５の上部、及び第２区画１２の１段目１２ａの廃棄物１５及び第３区画１３の１段目１３ａの廃棄物１５の上部に廃棄物１５を積層するように埋め立て処分してもよい。
【００４３】
さらに、上記の説明においては、第１区画１１の１段目１１ａ→第２区画１２の１段目１２ａ→第３区画１３の１段目１３ａ→第４区画１４の１段目１４ａ→第１区画１１の２段目１１ｂ…のように、順次廃棄物１５を埋め立て処分したが、順不同に第１区画１１、第２区画１２、第３区画１３、及び第４区画１４の１段目１１ａ、１２ａ、１３ａ、１４ａ、２段目１１ｂ、１２ｂ、１３ｂ……、３段目１１ｃ、１２ｃ、１３ｃ……に廃棄物１５を埋め立て処分してもよい。
【００４４】
さらに、上記の説明においては、本発明を円形状のピット１に適用したが、矩形等の他の形状のピットに本発明を適用してもよい。矩形状のピットに本発明を適用する場合には、ピットを長手方向又は幅方向に複数の埋立区画に区画し、移動式屋根をピットの長手方向又は幅方向に移動させながら、各区画に廃棄物を埋め立て処分すればよい。
【００４５】
さらに、上記の説明においては、各区画１１〜１４を廃棄物１５が崩れ落ちない高さずつ３段に分けて、各区画１１〜１４に廃棄物１５を埋め立て処分するとともに、各区画１１〜１４の各段の廃棄物１５の隣接する各区画１１〜１４との境界面を廃棄物１５が崩れ落ちない角度の傾斜面に形成したが、隣接する区画１１〜１４、１１〜１４間にＰＣコンクリート板等の簡易な仕切り部材を設置し、各区画１１〜１４の各段の廃棄物１５が隣接する各区画１１〜１４に崩れ落ちないように構成してもよい。
【符号の説明】
【００４６】
１  ピット
２  センターポール部
３  レール
４  移動式屋根
５  フレーム
６  屋根板
７  軸受
８  車輪
９  遮蔽部材
１１  第１区画
１１ａ  １段目
１１ｂ  ２段目
１１ｃ  ３段目
１２  第２区画
１２ａ  １段目
１２ｂ  ２段目
１２ｃ  ３段目
１３  第３区画
１３ａ  １段目
１３ｂ  ２段目
１３ｃ  ３段目
１４    第４区画
１４ａ  １段目
１４ｂ  ２段目
１４ｃ  ３段目
１５  廃棄物
１５ａ  境界面
２０  ダンプトラック
２１  クレーン
２２  バケット
【図１】
2011194369.tif 000003
【図２】
2011194369.tif 000004
【図３】
2011194369.tif 000005
【図４】
2011194369.tif 000006
【図５】
2011194369.tif 000007
【図６】
2011194369.tif 000008